(57)【特許請求の範囲】
【請求項１】
表示装置の光源の輝度を調節する輝度調節装置であって、
外部輝度を感知して原始感知電流を生成する感知部と、
前記原始感知電流を感知区間単位で積分して光感知電圧を生成する平滑部と、
前記感知区間単位で前記光感知電圧を基準電圧と比較して、ハイ状態もしくはロー状態のいずれかを有する光感知信号を生成する比較部と、
複数の感知区間を含む期間における前記光感知信号から、前記ハイ状態と前記ロー状態のうち、より多数の感知区間が有する状態を有する合算信号を生成する合算部と、
前記合算信号の前記ハイ状態もしくは前記ロー状態を反転した逆算信号を生成する逆算部と、
透過型表示装置に対応する透過モードか、半透過型表示装置に対応する半透過モードかのいずれかが予め設定されたモード選択信号に基づいて、前記透過モードが設定されていれば、前記合算信号を前記逆算部に入力し、前記半透過モードが設定されていれば、前記合算信号を前記逆算部に入力しないように制御するモード選択部と、
前記モード選択信号に応じて前記合算信号または前記逆算信号を入力し、入力される信号のうち、ロー状態の信号が増加するほど、前記光源の低い輝度に対応するデコーディング信号を出力するデコーディング部と、
を含み、
前記比較部は、前記光感知電圧が前記基準電圧よりも高い場合、前記ハイ状態の前記光感知信号を生成し、前記光感知電圧が前記基準電圧よりも低い場合、前記ロー状態の前記光感知信号を生成する、輝度調節装置。
【請求項２】
前記合算部は、
複数の合算回路と、
前記光感知信号を前記感知区間の単位で前記複数の合算回路に順次分配する分配回路と、を含み、
前記複数の合算回路は、前記分配された前記光感知信号から、前記ハイ状態と前記ロー状態のうち、より多数の感知区間が有する状態を有する前記合算信号を生成する、請求項１に記載の輝度調節装置。
【請求項３】
前記合算回路は、
ｎ個（ｎは自然数である）のフリップフロップと、
前記フリップフロップに印加された前記光感知信号の状態のうち、より多数の感知区間が有する状態を有する合算信号を生成する合算器と、
を有し、
前記感知区間の数は３ｎ個である、請求項２に記載の輝度調節装置。
【請求項４】
前記モード選択信号において前記透過モードが設定されている場合、前記デコーディング部は前記逆算信号を入力して前記デコーディング信号を出力する、請求項１に記載の輝度調節装置。
【請求項５】
前記モード選択信号において前記半透過モードが設定されている場合、前記デコーディング部は前記合算信号を入力して前記デコーディング信号を出力する、請求項１に記載の輝度調節装置。
【請求項６】
表示装置の光源の輝度を調節する輝度調節装置であって、
外部輝度を感知して原始感知電流を生成する感知部と、
前記原始感知電流を感知区間単位で積分して光感知電圧を生成する平滑部と、
前記感知区間単位で前記光感知電圧を基準電圧と比較して、ハイ状態もしくはロー状態のいずれかを有する光感知信号を生成する比較部と、
複数の感知区間の期間の前記光感知信号から、前記ハイ状態と前記ロー状態のうち、より多数の感知区間が有する状態を有する合算信号を生成する合算部と、
前記合算信号を入力し、入力される信号のうち、ロー状態の信号が増加するほど、大きな値に対応するデコーディング信号を出力するデコーディング部と、
透過型表示装置に対応する透過モードか、半透過型表示装置に対応する半透過モードかのいずれかが予め設定されたモード選択信号に基づいて、前記透過モードが設定されていれば、前記デコーディング信号を前記逆算部に入力し、前記半透過モードが設定されていれば、前記デコーディング信号を前記逆算部に入力しないように制御するモード選択部と、
前記モード選択部の制御によって前記デコーディング信号の各ビットを反転した逆算信号を生成する逆算部と、を含み、
前記比較部は、前記光感知電圧が前記基準電圧よりも高い場合、前記ハイ状態の前記光感知信号を生成し、前記光感知電圧が前記基準電圧よりも低い場合、前記ロー状態の前記光感知信号を生成する、輝度調節装置。
【請求項７】
前記光源を駆動し、前記逆算信号に対応するレベルを有する駆動電流を生成する駆動素子をさらに含み、
前記モード選択部が前記透過モードを選択した場合、前記駆動素子は前記駆動電流のレベルを前記逆算信号によって決定する、請求項６に記載の輝度調節装置。
【請求項８】
前記光源を駆動し、前記デコーディング信号に対応するレベルを有する駆動電流を生成する駆動素子をさらに含み、
前記モード選択部が前記半透過モードを選択した場合、前記駆動素子は前記駆動電流のレベルを前記デコーディング信号によって決定する、請求項６に記載の輝度調節装置。
【請求項９】
画像を表示する表示パネルと、
前記表示パネルの下部に配置され、前記表示パネルに光を供給するバックライトアセンブリと、
前記バックライトアセンブリの光源の輝度を調整する請求項１または請求項６に記載の輝度調節装置と、を含む表示装置。
【請求項１０】
前記感知部は、前記表示パネルのアレイ基板上に形成される、請求項９に記載の表示装置。
【請求項１１】
前記輝度調節装置は、前記アレイ基板上に集積される、請求項１０に記載の表示装置。
【請求項１２】
前記バックライトアセンブリは、
前記駆動電流を用いて光を生成する光源ユニットと、
前記光源ユニットと隣接するように配置され、前記光源ユニットから発生した光を前記表示パネルの方にガイドする導光板と、を更に含む、請求項９に記載の表示装置。
【請求項１３】
表示装置の光源の輝度を調節する輝度調節方法であって、
表示装置の外部輝度を感知して原始感知電流を生成する段階と、
前記原始感知電流を感知区間単位で積分して光感知電圧を生成する段階と、
前記感知区間単位で前記光感知電圧を基準電圧と比較して、ハイ状態もしくはロー状態のいずれかを有する光感知信号を生成する段階と、
複数の感知区間を含む期間における前記光感知信号から、前記ハイ状態と前記ロー状態のうち、より多数の感知区間が有する状態を有する合算信号を生成する段階と、
透過型表示装置に対応する透過モード及び半透過型表示装置に対応する半透過モードのいずれかが予め設定されたモード選択信号に応じて、前記合算信号の前記ハイ状態もしくは前記ロー状態を反転した逆算信号を生成する段階と、
前記モード選択信号に応じて前記合算信号または前記逆算信号を入力し、入力される信号のうち、ロー状態の信号が増加するほど、前記光源の低い輝度に対応するデコーディング信号を出力する段階と、を含み、
前記光感知信号を生成する段階では、前記光感知電圧が前記基準電圧よりも高い場合、前記ハイ状態の前記光感知信号を生成し、前記光感知電圧が前記基準電圧よりも低い場合、前記ロー状態の前記光感知信号を生成する、輝度調節方法。
【請求項１４】
前記光源を駆動し、前記デコーディング信号に対応するレベルを有する駆動電流を生成する段階を更に含む、請求項１３に記載の輝度調節方法。
【請求項１５】
前記合算信号を生成する段階は、
前記光感知信号を前記感知区間単位で順次分配する段階と、
前記分配された光感知信号から、前記合算信号を生成する段階と、を含む請求項１３に記載の輝度調節方法。
【請求項１６】
前記デコーディング信号を出力する段階は、
前記モード選択信号に設定されたモードが前記半透過モードであるとき、前記合算信号を入力する段階を含む請求項１３に記載の輝度調節方法。
【請求項１７】
前記デコーディング信号を出力する段階は、
前記モード選択信号に設定されたモードが前記透過モードであるとき、前記逆算信号を入力する段階を含む請求項１３に記載の輝度調節方法。
【請求項１８】
表示装置の光源の輝度を調節する輝度調節方法であって、
表示装置の外部輝度を感知して原始感知電流を生成する段階と、
前記原始感知電流を感知区間単位で積分して光感知電圧を生成する段階と、
前記感知区間単位で前記光感知電圧を基準電圧と比較して、ハイ状態もしくはロー状態のいずれかを有する光感知信号を生成する段階と、
複数の感知区間を含む期間における前記光感知信号から、前記ハイ状態と前記ロー状態のうち、より多数の感知区間が有する状態を有する合算信号を生成する段階と、
前記合算信号を入力し、入力される信号のうち、ロー状態の信号が増加するほど、大きな値に対応するデコーディング信号を生成する段階と、
透過型表示装置に対応する透過モード及び半透過型表示装置に対応する半透過モードのいずれかが予め設定されたモード選択信号に基づいて、前記透過モードが設定されていれば前記デコーディング信号を入力し、前記デコーディング信号の各ビットを反転した逆算信号を生成する段階と、
前記光源を駆動し、前記デコーディング信号または前記逆算信号に対応するレベルを有する駆動電流を生成する段階と、を含み、
前記光感知信号を生成する段階は、前記光感知電圧が前記基準電圧よりも高い場合、前記ハイ状態の前記光感知信号を生成し、前記光感知電圧が前記基準電圧よりも低い場合、前記ロー状態の前記光感知信号を生成する、輝度調節方法。
【請求項１９】
前記駆動電流を生成する段階は、
前記モード選択信号に設定されたモードが前記半透過モードであるとき、前記デコーディング信号を基準に前記駆動電流のレベルを決定する段階を含む請求項１８に記載の輝度調節方法。
【請求項２０】
前記駆動電流を生成する段階は、
前記モード選択信号に設定されたモードが前記透過モードであるとき、前記逆算信号を基準に前記駆動電流のレベルを決定する段階を含む請求項１８に記載の輝度調節方法。
【発明の詳細な説明】
【技術分野】
【０００１】
本発明は輝度調節方法に係り、より詳細には輝度調節装置、これを有する表示装置、及び輝度調節方法に関する。
【背景技術】
【０００２】
平板表示装置は、薄い厚さ、軽い重さ、小さい大きさなどの多様な特徴を有するので、携帯電話、ノートブック、ＰＤＡ（Ｐｅｒｓｏｎａｌ  Ｄｉｇｉｔａｌ  Ａｓｓｉｓｔａｎｔ；ＰＤＡ）などのモバイル機器において広く用いられている。
【０００３】
前記平板表示装置のうち、液晶表示装置は、自発的に光を発光しない受光素子である液晶を用いて画像を表示する。よって、前記液晶表示装置はバックライトアセンブリを含む。
【０００４】
前記バックライトアセンブリは、相対的に多い電力を消耗し、要求される電源のため、前記モバイル機器の携帯性が低下する。
【０００５】
また、劇場、セミナ場などのように低い輝度の要求される場所で、前記表示装置の明るい照明によって光害が増加する。
【発明の開示】
【発明が解決しようとする課題】
【０００６】
よって、本発明は、このような問題点を考えたものであって、本発明の目的は、光害及び消費電力が減少する輝度調節装置を提供することにある。
なお、本発明の目的は、前記輝度調節装置を有する表示装置を提供することにある。
本発明の更に他の目的は、光害及び消費電力の減少する輝度調節方法を提供することにある。
【課題を解決するための手段】
【０００７】
本発明の一特徴による輝度調節装置は、表示装置の光源の輝度を調節する輝度調節装置であって、比較部、合算部、モード選択部、逆算部、デコーディング部、感知部、及び平滑部を含む。前記感知部は、外部輝度を感知して原始感知電流を生成する。前記平滑部は、前記原始感知電流を前記感知区間単位で積分して前記光感知電圧を生成する。前記比較部は、前記感知区間単位で前記光感知電圧を基準電圧と比較して、ハイ状態もしくはロー状態のいずれかを有する光感知信号を生成する。前記合算部は、複数の感知区間期間を含む期間における前記光感知信号から、前記ハイ状態と前記ロー状態のうち、より多数の感知区間が有する状態を有する合算信号を生成する。前記逆算部は、前記合算信号の前記ハイ状態もしくは前記ロー状態を反転した逆算信号を生成する。前記モード選択部は、透過型表示装置に対応する透過モードか、半透過型表示装置に対応する半透過モードかのいずれかが予め設定されたモード選択信号に基づいて、前記透過モードが設定されていれば、前記合算信号を前記逆算部に入力し、前記半透過モードが設定されていれば、前記合算信号を前記逆算部に入力しないように制御する。前記デコーディング部は、前記モード選択信号に応じて前記合算信号または前記逆算信号を入力し、入力される信号のうち、ロー状態の信号が増加するほど、前記光源の低い輝度に対応するデコーディング信号を出力する。前記比較部は、前記光感知電圧が前記基準電圧よりも高い場合、前記ハイ状態の前記光感知信号を生成し、前記光感知電圧が前記基準電圧よりも低い場合、前記ロー状態の前記光感知信号を生成する。
【０００８】
本発明の他の実施例による輝度調節装置は、表示装置の光源の輝度を調節する輝度調節装置であって、感知部、平滑部、比較部、合算部、デコーディング部、モード選択部、及び逆算部を含む。前記感知部は、外部輝度を感知して原始感知電流を生成する。前記平滑部は、前記原始感知電流を前記感知区間単位で積分して前記光感知電圧を生成する。前記比較部は、前記感知区間単位で前記光感知電圧を基準電圧と比較して、ハイ状態もしくはロー状態のいずれかを有する光感知信号を生成する。前記合算部は、複数の感知区間期間の前記光感知信号から、前記ハイ状態と前記ロー状態のうち、より多数の感知区間が有する状態を有する合算信号を生成する。前記デコーディング部は、前記合算信号を入力し、入力される信号のうち、ロー状態の信号が増加するほど、大きな値に対応するデコーディング信号を出力する。前記モード選択部は、透過型表示装置に対応する透過モードか、半透過型表示装置に対応する半透過モードかのいずれかが予め設定されたモード選択信号に基づいて、前記透過モードが設定されていれば、前記デコーディング信号を前記逆算部に入力し、前記半透過モードが設定されていれば、前記デコーディング信号を前記逆算部に入力しないように制御する。前記逆算部は、前記モード選択部の制御によって前記デコーディング信号の各ビットを反転した前記逆算信号を生成する。前記比較部は、前記光感知電圧が前記基準電圧よりも高い場合、前記ハイ状態の前記光感知信号を生成し、前記光感知電圧が前記基準電圧よりも低い場合、前記ロー状態の前記光感知信号を生成する。
【０００９】
本発明の他の特徴による表示装置は、表示パネル、バックライトアセンブリ、及び輝度調節装置を含む。前記表示パネルは、画像を表示する。前記バックライトアセンブリは、前記表示パネルの下部に配置され、前記表示パネルに光を供給する。前記輝度調節装置は、前記バックライトアセンブリの光源の輝度を調整する上述する輝度調節装置である。
【００１０】
本発明の他の特徴による輝度調節方法は、表示装置の光源の輝度を調節する輝度調節方法であって、当該方法によると、まず、表示装置の外部輝度を感知して原始感知電流を生成する。その後、前記原始感知電流を感知区間単位で積分して光感知電圧を生成する。続いて、前記感知区間単位で前記光感知電圧を基準電圧と比較して、ハイ状態もしくはロー状態のいずれかを有する光感知信号を生成する。その後、複数の感知区間を含む期間における前記光感知信号から、前記ハイ状態と前記ロー状態のうち、より多数の感知区間が有する状態を有する合算信号を生成する。その後、過型表示装置に対応する透過モード及び半透過型表示装置に対応する半透過モードのいずれかが予め設定されたモード選択信号に応じて、前記合算信号の前記ハイ状態もしくは前記ロー状態を反転した逆算信号を生成する。その後、前記モード選択信号に応じて前記合算信号または前記逆算信号を入力し、入力される信号のうち、ロー状態の信号が増加するほど、前記光源の低い輝度に対応するデコーディング信号を出力する。前記光感知信号を生成する際に、前記光感知電圧が前記基準電圧よりも高い場合、前記ハイ状態の前記光感知信号を生成し、前記光感知電圧が前記基準電圧よりも低い場合、前記ロー状態の前記光感知信号を生成する。
【００１１】
本発明の更に他の特徴による輝度調節方法は、表示装置の光源の輝度を調節する輝度調節方法であって、当該方法によると、まず、表示装置の外部輝度を感知して原始感知電流を生成する。続いて、前記原始感知電流を感知区間単位で積分して光感知電圧を生成する。その後、前記感知区間単位で前記光感知電圧を基準電圧と比較して、ハイ状態もしくはロー状態のいずれかを有する光感知信号を生成する。その後、複数の感知区間を含む期間における前記光感知信号から、前記ハイ状態と前記ロー状態のうち、より多数の感知区間が有する状態を有する合算信号を生成する。その後、前記合算信号を入力し、入力される信号のうち、ロー状態の信号が増加するほど、大きな値に対応するデコーディング信号を生成する。その後、透過型表示装置に対応する透過モード及び半透過型表示装置に対応する半透過モードのいずれかが予め設定されたモード選択信号に基づいて、前記透過モードが設定されていれば前記デコーディング信号を入力し、前記デコーディング信号の各ビットを反転した逆算信号を生成する。続いて、前記光源を駆動し、前記デコーディング信号または前記逆算信号に対応するレベルを有する駆動電流を生成する。前記光感知信号を生成する際に、前記光感知電圧が前記基準電圧よりも高い場合、前記ハイ状態の前記光感知信号を生成し、前記光感知電圧が前記基準電圧よりも低い場合、前記ロー状態の前記光感知信号を生成する。
【００１２】
このような輝度調節装置、輝度調節方法、及びこれを有する表示装置によると、前記輝度調節装置が前記モード選択部を含み、半透過型表示パネル及び透過型表示パネルに汎用に用いることができる。
【００１３】
また、前記輝度調節装置が前記透過型表示パネルに用いられる場合、前記外部輝度が減少するほど前記光源の輝度が減少する。よって、暗い場所における光害を防止し、消費電力を減少することができる。
【００１４】
更に、前記モード選択部及び前記逆算部の構造が単純になることによって、前記輝度調節装置の不良及び製造費用が減少する。
【発明の効果】
【００１５】
前記のような本発明によると、前記輝度調節ユニットが前記モード選択部を含み、半透過型表示パネル及び透過型表示パネルに汎用に用いることができる。
【００１６】
また、前記輝度調節ユニットが前記透過型表示パネルに用いられる場合、前記外部輝度が減少するほど、前記光源の輝度が減少する。よって、暗い場所にて光害を減少させることができ、消費電力を減少させることができる。
【００１７】
更に、前記モード選択部及び前記逆算部の構造が単になるので、前記輝度調節ユニットの不良及び製造コストを減少することができる。
【００１８】
以上、本発明の実施例によって詳細に説明したが、本発明はこれに限定されず、本発明が属する技術分野において通常の知識を有するものであれば本発明の思想と精神を離脱することなく、本発明を修正または変更できる。
【発明を実施するための最良の形態】
【００１９】
以下、添付する図面を参照して本発明の望ましい実施例をより詳細に説明する。
【００２０】
図１は、本発明の第１実施例による輝度調節装置を示すブロック図であり、図２は、前記図１に示した輝度調節装置を示す回路図である。
図１及び図２を参照すると、前記輝度調節装置１００は、感知部１０、平滑部２０、比較部３０、合算部８０、モード選択部１１０、逆算部１５０、及びデコーディング部１６０を含み、駆動集積回路１８０に電気的に接続される。ここで、前記駆動集積回路１８０が前記輝度調節装置１００と一体に形成することもできる。例えば、前記駆動集積回路１８０は、デジタル−アナログコンバータ（Ｄｉｇｉｔａｌ−Ａｎａｌｏｇ  Ｃｏｎｖｅｒｔｅｒ；ＤＡＣ）を含むこともできる。
【００２１】
前記感知部１０は、光センサ（図示せず）を含む。本実施例において、前記感知部１０はアレイ基板上に配置される複数の光センサ（図示せず）を含む。本実施例で、前記光センサ（図示せず）は、薄膜蒸着工程を通じて前記アレイ基板上に形成される。前記感知部１０によって生成された原始感知電流Ｉ０は前記平滑部２０に印加される。
【００２２】
前記平滑部２０は、積分器２２及び感知区間設定部２４を含む。
前記積分器２２は、所定の感知区間単位で印加された前記原始感知電流Ｉ０を積分して前記感知区間に対応する光感知電圧ＶＰを順次出力する。前記原始感知電流Ｉ０は、前記積分器２２の第１電極（＋）を通じて印加され、前記感知区間設定部２４から出力された制御信号は前記積分器２２の第２電極（−）を通じて印加する。
【００２３】
前記感知区間設定部２４は、前記各感知区間の長さを設定する。本実施例で、前記感知区間は同一の長さを有し、前記各感知区間の長さは数ｍｓである。例えば、前記感知区間の長さは６．７ｍｓである。
【００２４】
前記比較部３０は、比較器３２及び基準電圧発生回路３４を含む。前記比較器３２は、前記各感知区間期間に印加された前記各光感知電圧ＶＰと基準電圧ＶＲとを比較する。
【００２５】
本実施例で、前記各光感知電圧ＶＰは、前記比較器３２の第１電極（＋）を通じて印加され、前記基準電圧ＶＲは、前記基準電圧発生回路３４で生成され、前記比較器３２の第２電極（−）を通じて印加される。例えば、前記光感知電圧ＶＰが前記基準電圧ＶＲより高い場合、前記比較器３０は前記感知区間期間ハイ状態の光感知信号ＳＳを出力する。
【００２６】
また、前記光感知電圧ＶＰが前記基準電圧ＶＲより低い場合、前記比較器３０は前記感知区間期間にロー状態の光感知信号ＳＳを出力する。
【００２７】
よって、前記比較器３０は、前記光感知電圧ＶＰに対応して前記ハイ状態または前記ロー状態を有する前記光感知信号ＳＳを前記感知区間単位で出力する。
【００２８】
他の実施例で、前記各光感知電圧ＶＰが前記比較器３２の前記第２電極（−）を通じて印加され、前記基準電圧ＶＲが前記比較器３２の前記第１電極（＋）を通じて印加することもできる。前記比較器３２の前記第１及び第２電極（＋、−）に印加される信号が変わる場合、前記モード選択部１１０のスッチング素子のオンオフが互いに変わることもある。
【００２９】
前記合算部８０は、分配回路４０、第１合算回路５０、第２合算回路６０、及び第３合算回路７０を含む。
前記分配回路４０は、前記比較器３２、前記第１合算回路５０、前記第２合算回路６０、及び前記第３合算回路７０と電気的に接続される。
【００３０】
前記第１合算回路５０は、第１レジスタ５６及び第１合算器５７を含む。前記第１レジスタは、第１フリップフロップ５１、第２フリップフロップ５２、第３フリップフロップ５３、第４フリップフロップ５４、及び第５フリップフロップ５５を含む。前記第１レジスタは印加された信号を保存して前記第１合算器５７に出力する。
【００３１】
前記第２合算回路６０は、第２レジスタ６６及び第２合算器６７を含む。前記第２レジスタは、第１フリップフロップ６１、第２フリップフロップ６２、第３フリップフロップ６３、第４フリップフロップ６４、及び第５フリップフロップ６５を含む。前記第２レジスタは印加された信号を保存して前記第２合算器６７に出力する。
【００３２】
前記第３合算回路７０は、第３レジスタ７６及び第３合算器７７を含む。前記第３レジスタは、第１フリップフロップ７１、第２フリップフロップ７２、第３フリップフロップ７３、第４フリップフロップ７４、及び第５フリップフロップ７５を含む。前記第３レジスタは印加された信号を保存して前記第３合算器７７に出力する。
【００３３】
図３は、前記図１に示した輝度調節装置の光感知信号ＳＳ、第１分配信号Ｍ１、第２分配信号Ｍ２、及び第３分配信号Ｍ３のタイミング図を示す。
動作時、前記合算部８０は、複数の感知区間を含む基準区間の期間、前記光感知信号ＳＳの印加を受け、第１合算信号ＳＵＭ１、第２合算信号ＳＵＭ２、及び第３合算信号ＳＵＭ３を出力する。本実施例で、前記基準区間は１５個の感知区間を含む。例えば、前記感知区間の長さは６．７ｍｓであり、前記基準区間の長さは１００ｍｓである。ここで、前記各レジスタがｎ個のフリップフロップを有する場合、前記基準区間は３ｎ個の感知区間を含む。
【００３４】
例えば、まず前記分配回路４０は、一番目の感知区間の期間に印加された光感知信号ＳＳを抽出して第１分配信号Ｍ１を前記第１合算回路５０の前記第１フリップフロップ５１に印加する。その後、前記分配回路４０は、二番目の感知区間の期間に印加された光感知信号ＳＳを抽出して第２分配信号Ｍ２を前記第２合算回路６０の前記第１フリップフロップ６１に印加する。その後、前記分配回路４０は、３番目の感知区間の期間に印加された光感知信号ＳＳを抽出して第３分配信号Ｍ３を前記第３合算回路７０の前記第１フリップフロップ７１に印加する。
【００３５】
その後、前記分配回路４０は、４番目の感知区間の期間に印加された光感知信号ＳＳ、５番目の感知区間の期間に印加された光感知信号ＳＳ、及び６番目の感知区間の期間に印加された光感知信号ＳＳを抽出して第１、第２、及び第３分配信号Ｍ１、Ｍ２、Ｍ３をそれぞれ前記合算回路５０の前記第２フリップフロップ５２、前記第２合算回路６０の前記第２フリップフロップ６２、及び前記第３合算回路７０の前記第２フリップフロップ７２に順次に印加する。
【００３６】
その後、前記分配回路４０は、７番目、８番目、及び９番目の感知区間に印加された光感知信号ＳＳを抽出して第１、第２、及び第３分配信号Ｍ１、Ｍ２、Ｍ３をそれぞれ前記第１、第２、及び第３合算回路５０、６０、７０の前記第３フリップフロップ５３、６３、７３に順次印加する。
【００３７】
その後、前記分配回路４０は、１０番目、１１番目、及び１２番目の感知区間の期間に印加された光感知信号ＳＳを抽出して第１、第２、及び第３分配信号Ｍ１、Ｍ２、Ｍ３をそれぞれ前記第１、第２、及び第３合算回路５０、６０、７０の前記第４フリップフロップ５４、６４、７４に順次印加する。
【００３８】
その後、前記分配回路４０は、１３番目、１４番目、及び１５番目の感知区間の期間に印加された光感知信号ＳＳを抽出して第１、第２、及び第３分配信号Ｍ１、Ｍ２、Ｍ３をそれぞれ前記第１、第２、及び第３合算回路５０、６０、７０の前記第５フリップフロップ５５、６５、７５に順次印加する。
【００３９】
前記第１合算器５７は、前記第１合算回路５０の前記第１、第２、第３、第４、及び第５フリップフロップ５１、５２、５３、５４、５５に印加された前記第１分配信号Ｍ１を合算して第１合算信号ＳＵＭ１を出力する。本実施例で、前記第１合算信号ＳＵＭ１は、前記第１合算回路５０に印加された光感知信号ＳＳのうち、多数の感知区間が有する状態と同一の状態を有する。例えば、前記第１合算回路５０の前記第１、第２、第３、第４、及び第５フリップフロップ５１、５２、５３、５４、５５に印加される感知区間の期間に前記第１分配信号Ｍ１がそれぞれハイ状態、ハイ状態、ロー状態、ハイ状態、及びハイ状態である場合、前記第１合算信号ＳＵＭ１はハイ状態である。
【００４０】
前記第２合算器６７は、前記第２合算回路６０の前記第１、第２、第３、第４、及び第５フリップフロップ６１、６２、６３、６４、６５に印加された前記第２分配信号Ｍ２を合算して第２合算信号ＳＵＭ２を出力する。本実施例で、前記第２合算信号ＳＵＭ２は前記第２合算回路６０に印加された前記第２分配信号Ｍ２のうち、多数の感知区間が有する状態と同一の状態を有する。
【００４１】
前記第３合算器７７は、前記第３合算回路７０の前記第１、第２、第３、第４、及び第５フリップフロップ７１、７２、７３、７４、７５に印加された第３分配信号Ｍ３を合算して第３合算信号ＳＵＭ３を出力する。本実施例で、前記第３合算信号ＳＵＭ３は前記第３合算回路７０に印加された前記第３分配信号Ｍ３のうち、多数の感知区間が有する状態と同一の状態を有する。
【００４２】
よって、前記合算部８０は、前記基準区間の期間の輝度変化を合算して前記第１、第２、及び第３合算信号ＳＵＭ１、ＳＵＭ２、ＳＵＭ３を出力する。
前記モード選択部１１０は、前記合算部８０、前記逆算部１５０、及び前記デコーディング部１６０に電気的に接続される。
【００４３】
前記モード選択部１１０は、モード選択信号（ＳＥＴ＿ＤＩＭ）の印加を受けて半透過モード及び透過モードを設定する。例えば、前記表示パネルが半透過型表示パネルである場合、前記モード選択信号（ＳＥＴ＿ＤＩＭ）は０であり、前記モード選択部１１０は前記半透過モードである。前記表示パネルが透過型表示パネルである場合、前記モード選択信号（ＳＥＴ＿ＤＩＭ）は１であり、前記モード選択部１１０は前記透過モードである。
【００４４】
前記モード選択部１１０が前記半透過モードである場合、前記第１、第２、及び第３合算器５７、６７、７７から出力された前記第１、第２、及び第３合算信号ＳＵＭ１、ＳＵＭ２、ＳＵＭ３は前記デコーディング部１６０に直接入力される。
【００４５】
前記モード選択部１１０が前記透過モードである場合、前記第１、第２、及び第３合算器５７、６７、７７から出力された前記第１、第２、及び第３合算信号ＳＵＭ１、ＳＵＭ２、ＳＵＭ３は前記逆算部１５０に入力される。
【００４６】
前記逆算部１５０は、第１インバータ１２０、第２インバータ１３０、及び第３インバータ１４０を含み、前記第１、第２、及び第３合算信号ＳＵＭ１、ＳＵＭ２、ＳＵＭ３の印加を受け、それぞれ第１逆算信号、第２逆算信号、及び第３逆算信号ＩＮＶ１、ＩＮＶ２、ＩＮＶ３を出力する。本実施例で、前記第１インバータ１２０は、前記第１合算信号ＳＵＭ１を逆算して前記第１逆算信号ＩＮＶ１を出力し、前記第２インバータ１３０は前記第２合算信号ＩＮＶ２を出力し、前記第３インバータ１４０は前記第３合算信号ＳＵＭ３を逆算して前記第３逆算信号ＩＮＶ３を出力する。
【００４７】
前記第１、第２、及び第３逆算信号ＩＮＶ１、ＩＮＶ２、ＩＮＶ３は、それぞれ前記第１、第２、及び第３合算信号ＳＵＭ１、ＳＵＭ２、ＳＵＭ３と逆の状態を有する。例えば、前記第１、第２、及び第３合算信号ＩＮＶ１、ＩＮＶ２、ＩＮＶ３がそれぞれハイ状態、ロー状態、及びハイ状態である場合、前記第１、第２、及び第３逆算信号ＩＮＶ１、ＩＮＶ２、ＩＮＶ３はそれぞれロー状態、ハイ状態、及びロー状態である。
【００４８】
前記モード選択部１１０が前記透過モードである場合、前記デコーディング部１６０は、前記第１、第２、及び第３逆算信号ＩＮＶ１、ＩＮＶ２、ＩＮＶ３の印加を受け、第１出力端子１６２及び第２出力端子１６４を通じて第１デコーディング信号ＯＵＴ１及び第２デコーディング信号ＯＵＴ２をそれぞれ駆動集積回路（Ｄｒｉｖｉｎｇ  Ｉｎｔｅｇｒａｔｅｄ  Ｃｉｒｃｕｉｔ、１８０）に出力する。また、前記モード選択部１１０が前記半透過モードである場合、前記デコーディング部１６０は、前記第１、第２、及び第３合算信号ＳＵＭ１、ＳＵＭ２、ＳＵＭ３の印加を直接受け、前記第１及び第２出力端子１６２、１６４を通じて第１デコーディング信号ＯＵＴ１及び第２デコーディング信号ＯＵＴ２をそれぞれ駆動集積回路１８０に出力する。すなわち、デコーディング部１６０は、デジタル信号である合算信号や逆算信号を、アナログ電流である駆動電流に最終的に変換するために、3つ以上のデジタル信号を2つのデジタル信号に変換してデジタル信号の数を減少させる。
【００４９】
前記デコーディング部１６０は、入力される信号のうち、ロー状態の信号数が増加するほど低い輝度に対応するデコーディング信号ＯＵＴ１、ＯＵＴ２を出力し、前記デコーディング部１６０に入力される信号のうち、ハイ状態の信号数が増加するほど高い輝度に対応するデコーディング信号ＯＵＴ１、ＯＵＴ２を出力する。
【００５０】
前記駆動集積回路１８０は、前記デコーダ１６０の前記第１及び第２デコーディング信号ＯＵＴ１、ＯＵＴ２の印加を受け、駆動電流ＩＤを出力する。
【００５１】
本実施例で、前記第１及び第２出力端子１６２、１６４の前記第１及び第２デコーディング信号ＯＵＴ１、ＯＵＴ２が両方とも１である場合、前記駆動電流ＩＤは第１レベルを有する。
【００５２】
また、前記第１出力端子１６２の前記第１デコーディング信号ＯＵＴ１が１であり、前記第２出力端子１６４の前記第２デコーディング信号ＯＵＴ２が０である場合、前記駆動電流ＩＤは第２レベルを有する。
【００５３】
更に、前記第１出力端子１６２の前記第１デコーディング信号ＯＵＴ１が０であり、前記第２出力端子１６４の前記第２デコーディング信号ＯＵＴ２が１である場合、前記駆動電流ＩＤは第３レベルを有する。
【００５４】
また、前記第１及び第２出力端子１６２、１６４の前記第１及び第２デコーディング信号ＯＵＴ１、ＯＵＴ２が全て０である場合、前記駆動電流ＩＤは第４レベルを有する。
【００５５】
表１は、前記透過モードにおける前記モード選択信号（ＳＥＴ＿ＤＩＭ）、前記第１、第２、及び第３合算信号ＳＵＭ１、ＳＵＭ２、ＳＵＭ３、前記第１、第２、及び第３逆算信号ＩＮＶ１、ＩＮＶ２、ＩＮＶ３、前記第１及び第２出力端子１６２、１６４の前記第１及び第２デコーディングＯＵＴ１、ＯＵＴ２、前記駆動電流ＩＤのレベル及び光源の輝度を示す。
【００５６】
【表１】
0005502283.tif 000002
【００５７】
表１を参照すると、前記駆動電流ＩＤの前記第１、第２、第３、及び第４レベルは、０．４ｍＡ、１．２５ｍＡ、４．１５ｍＡ、及び１８．６５ｍＡであり、前記第１、第２、第３、及び第４レベルにそれぞれ対応する光源の輝度は、７ｎｉｔ、２５ｎｉｔ、７５ｎｉｔ、及び２５０ｎｉｔである。
【００５８】
前記表示パネルの外部の輝度が相対的に低いので、前記第１、第２、及び第３合算信号ＳＵＭ１、ＳＵＭ２、ＳＵＭ３が全てロー状態である場合、前記第１、第２、及び第３逆算信号ＩＮＶ１、ＩＮＶ２、ＩＮＶ３は全てハイ状態であり、前記第１及び第２出力端子１６２、１６４の前記第１及び第２デコーディング信号ＯＵＴ１、ＯＵＴ２は全て０であり、前記駆動電流ＩＤは前記第１レベルである０．４ｍＡであり、前記光源の輝度は７ｎｉｔである。
【００５９】
前記表示パネルの外部の輝度が低いので、前記第１、第２、及び第３合算信号ＳＵＭ１、ＳＵＭ２、ＳＵＭ３が全てハイ状態である場合、前記第１、第２、及び第３逆算信号ＩＮＶ１、ＩＮＶ２、ＩＮＶ３のいずれがロー状態であり、前記第１及び第２出力端子１６２、１６４の前記第１及び第２デコーディング信号ＯＵＴ１、ＯＵＴ２はそれぞれ０及び１であり、前記駆動電流ＩＤは前記第２レベルである１．２５ｍＡであり、前記光源の輝度は２５ｎｉｔである。
【００６０】
前記表示パネルの外部の輝度が相対的に高いので、前記第１、第２、及び第３合算信号ＳＵＭ１、ＳＵＭ２、ＳＵＭ３のうち、二つがハイ状態である場合、前記第１、第２、及び第３逆算信号ＩＮＶ１、ＩＮＶ２、ＩＮＶ３のうち、二つがロー状態であり、前記第１及び第２出力端子１６２、１６４の前記第１及び第２デコーディング信号ＯＵＴ１、ＯＵＴ２はそれぞれ１及び０であり、前記駆動電流ＩＤは前記第３レベルである４．１５ｍＡであり、前記光源の輝度は７５ｎｉｔである。
【００６１】
前記表示パネルの外部の輝度が高いので、前記第１、第２、及び第３合算信号ＳＵＭ１、ＳＵＭ２、ＳＵＭ３が全てハイ状態である場合、前記第１、第２、及び第３逆算信号ＩＮＶ１、ＩＮＶ２、ＩＮＶ３はすべてロー状態であり、前記第１及び第２出力端子１６２、１６４の前記第１及び第２デコーディング信号ＯＵＴ１、ＯＵＴ２は全て１であり、前記駆動電流ＩＤは前記第４レベルである１８．６５ｍＡであり、前記光源の輝度は２５０ｎｉｔである。
【００６２】
よって、前記透過モードの駆動電流ＩＤは、前記表示パネルの外部の輝度が低い場合に低いレベルを有するので、前記光源の輝度が低くなり、前記表示パネルは、前記光源から発生した光を用いて画像を表示する。また、前記表示パネルの外部の輝度が高い場合に前記透過モードの駆動電流ＩＤは高いレベルを有するので、前記光源の輝度が高くなり、前記表示パネルは前記光源から発生した光を用いて画像を表示する。
【００６３】
表２は、前記半透過モードにおける前記モード選択信号（ＳＥＴ＿ＤＩＭ）、前記第１、第２、及び第３合算信号ＳＵＭ１、ＳＵＭ２、ＳＵＭ３、前記第１及び第２出力端子１６２、１６４の前記第１及び第２デコーディング信号ＯＵＴ１、ＯＵＴ２、前記駆動電流ＩＤのレベル及び光源の輝度を示す。前記半透過モードで、前記第１、第２、及び第３合算信号ＳＵＭ１、ＳＵＭ２、ＳＵＭ３は前記デコーディング部１６０に直接印加される。
【００６４】
【表２】
0005502283.tif 000003
【００６５】
表２を参照すると、前記表示パネルの輝度が高いので、前記第１、第２、及び第３合算信号ＳＵＭ１、ＳＵＭ２、ＳＵＭ３が全てハイ状態である場合、前記第１及び第２出力端子１６２、１６４の前記第１及び第２デコーディング信号ＯＵＴ１、ＯＵＴ２は全て０であり、前記駆動電流ＩＤは前記第１レベルである０．４ｍＡであり、前記光源の輝度は７ｎｉｔである。
【００６６】
前記表示パネルの外部の輝度が相対的に高いので、前記第１、第２、及び第３合算信号ＳＵＭ１、ＳＵＭ２、ＳＵＭ３のうち、二つがハイ状態である場合、前記第１及び第２出力端子１６２、１６４の前記第１及び第２デコーディング信号ＯＵＴ１、ＯＵＴ２はそれぞれ０及び１であり、前記駆動電流ＩＤは前記第２レベルである１．２５ｍＡであり、前記光源の輝度は２５ｎｉｔである。  
【００６７】
前記表示パネルの外部の輝度が相対的に高いので、前記第１、第２、及び第３合算信号ＳＵＭ１、ＳＵＭ２、ＳＵＭ３のうち、一つがハイ状態である場合、前記第１及び第２出力端子１６２、１６４の前記第１及び第２デコーディング信号ＯＵＴ１、ＯＵＴ２はそれぞれ１及び０であり、前記駆動電流ＩＤは前記第３レベルである４．１５ｍＡであり、前記光源の輝度は７５ｎｉｔである。  
【００６８】
前記表示パネルの外部の輝度が相対的に低いので、前記第１、第２、及び第３合算信号ＳＵＭ１、ＳＵＭ２、ＳＵＭ３が全てロー状態である場合、前記第１及び第２出力端子１６２、１６４の前記第１及び第２デコーディング信号ＯＵＴ１、ＯＵＴ２は全て１であり、前記駆動電流ＩＤは前記第４レベルである１８．６５ｍＡであり、前記光源の輝度は２５０ｎｉｔである。  
【００６９】
よって、前記半透過モードの駆動電流ＩＤは、前記表示パネルの外部の輝度が低い場合に高いレベルを有するので、前記光源の輝度が高くなり、前記表示パネルは前記光源から発生した光を用いて画像を表示する。また、前記表示パネルの外部の輝度が高い場合に前記透過モードの駆動電流ＩＤは低いレベルを有するので、前記光源の輝度が低くなり、前記表示パネルは外部光を用いて画像を表示する。
【００７０】
前記のような本実施例によると、前記輝度調節装置１００が前記モード選択部１１０を含んで半透過型表示パネルの及び透過型表示パネルに汎用に用いることができる。
【００７１】
前記輝度調節装置１００が前記透過型表示パネルに用いられる場合、前記外部輝度が減少するほど、前記光源の輝度が減少する。よって、暗い場所で光害を減少させることができ、消費電力が減少する。
【００７２】
また、前記輝度調節装置１００が前記半透過型表示パネルに用いられる場合、前記光源の輝度が前記外部輝度と反比例して前記半透過型表示パネルが前記外部光及び前記光源から発生した光を用いて画像を表示する。
【００７３】
図４は、前記図１に示した輝度調節装置を用いた輝度調節方法を示すフローチャートである。
図２ないし図４を参照すると、光源の輝度を調節するために、まず、表示装置の外部輝度を感知して原始感知電流ＩＯを生成する（段階Ｓ１０２）。本実施例で、前記表示装置のアレイ基板上に複数の光センサー１２を形成して前記外部の輝度を感知する。
【００７４】
その後、所定の感知区間単位で、前記原始感知電流ＩＯを積分して前記感知区間に対応する光感知電圧ＶＰを順次生成する（段階Ｓ１０４）。例えば、前記各感知区間は６．７ｍｓである。
【００７５】
その後、前記感知区間単位で、前記各光感知電圧ＶＰを基準電圧ＶＲと比較して光感知信号ＳＳを生成する（段階Ｓ１０６）。本実施例で、前記各光感知電圧ＶＰが前記基準電圧ＶＲより低いレベルを有する場合、比較部３０はロー状態の光感知信号ＳＳを生成し、前記各光感知電圧ＶＰが前記基準電圧ＶＲより高いレベルを有する場合、前記比較部３０はハイ状態の光感知信号ＳＳを生成する。  
【００７６】
続いて、前記光感知信号ＳＳを合算して複数の合算信号ＳＵＭ１、ＳＵＭ２、ＳＵＭ３を生成する（段階Ｓ１０８）。前記光感知信号ＳＳを合算するために、前記光感知信号ＳＳを前記感知区間単位で分配して合算信号５０、６０、７０に順次分配し、第１分配信号Ｍ１、第２分配信号Ｍ２、及び第３分配信号Ｍ３をそれぞれ合算して前記第１、第２、及び第３合算信号ＳＵＭ１、ＳＵＭ２、ＳＵＭ３を生成する。
【００７７】
前記輝度調節装置が用いられる表示パネルの種類に応じて、透過モードまたは半透過モードを選択する（段階Ｓ１１０）。本実施例で、モード選択部１１０は、既に設定されたモード選択信号（ＳＥＴ＿ＤＩＭ）によって前記第１、第２、及び第３合算信号ＳＵＭ１、ＳＵＭ２、ＳＵＭ３の出力を調節する。
【００７８】
前記表示パネルが前記透過モードである場合、前記第１、第２、及び第３合算信号ＳＵＭ１、ＳＵＭ２、ＳＵＭ３を逆算して、第１、第２、及び第３逆算信号ＩＮＶ１、ＩＮＶ２、ＩＮＶ３を生成する（段階Ｓ１１２）。その後、前記第１、第２、及び第３逆算信号ＩＮＶ１、ＩＮＶ２、ＩＮＶ３をデコーディングする（段階Ｓ１１４）。
【００７９】
本実施例で、デコーディング部１６０は、前記第１、第２、及び第３逆算信号ＩＮＶ１、ＩＮＶ２、ＩＮＶ３をデコーディングして２桁の２進数を形成する第１及び第２デコーディング信号ＯＵＴ１、ＯＵＴ２を生成する。すなわち、デコーディング部１６０は、デジタル信号である逆算信号や合算信号(本実施例では逆算信号)を、アナログ電流である駆動電流に最終的に変換するために、3つ以上のデジタル信号を2つのデジタル信号に変換してデジタル信号の数を減少させる。
【００８０】
本実施例で、前記逆算信号の個数は前記合算信号の個数と同一である。ここで、前記逆算信号の数が（２ｍ−１）である場合、前記デコーディング信号の個数及びデコーディング信号が示す２進数の桁はｍである（ｍは自然数）。
【００８１】
また、前記逆算信号の数が２ｍ個である場合、前記デコーディング信号の個数及びデコーディング信号が示す２進数の桁は（ｍ＋１）である。
前記表示パネルが前記半透過モードである場合、前記第１、第２、及び第３合算信号ＳＵＭ１、ＳＵＭ２、ＳＵＭ３を直接デコーディングして第１及び第２デコーディング信号ＯＵＴ１、ＯＵＴ２を生成する（段階Ｓ１１６）。
【００８２】
その後、前記第１及び第２デコーディング信号ＯＵＴ１、ＯＵＴ２に対応するレベルを有する駆動電流を生成する（段階Ｓ１１８）。その後、前記駆動電流を光源に印加する。
【００８３】
よって、前記感知区間期間に感知された外部輝度を合算してデコーディングして、前記外部輝度によって基準区間単位で光源の輝度が変更される。
【００８４】
図５は、本発明の第２実施例による輝度調節装置を示すブロック図であり、図６は、前記図５に示した輝度調節装置を示す回路図である。本実施例で、デコーディング部、モード選択部、及び逆算部を除いた残りの構成要素は図１及び図２と同一であるので、重複される説明は省略する。
【００８５】
図５及び図６を参照すると、前記輝度調節装置２００は、感知部１０、平滑部２０、比較部３０、合算部８０、デコーディング部２６０、モード選択部２１０、及び逆算部２５０を含み、駆動集積回路１８０に電気的に接続される。本実施例で、前記合算部８０及び前記デコーディング部２６０は、合算ユニットアセンブリを形成する。
【００８６】
前記デコーディング部２６０は、前記合算部８０から出力される第１合算信号ＳＵＭ１、第２合算信号ＳＵＭ２、及び第３合算信号ＳＵＭ３をデコーディングして第１デコーディング信号ＯＵＴ１及び第２デコーディング信号ＯＵＴ２を出力する。すなわち、デコーディング部１６０は、デジタル信号である合算信号や逆算信号(本実施例では合算信号)を、アナログ電流である駆動電流に最終的に変換するために、3つ以上のデジタル信号を2つのデジタル信号に変換してデジタル信号の数を減少させる。
【００８７】
本実施例で、前記第１、第２、及び第３合算信号ＳＵＭ１、ＳＵＭ２、ＳＵＭ３が全てロー状態を有する場合、前記第１及び第２デコーディング信号ＯＵＴ１、ＯＵＴ２は全て１である。
【００８８】
また、前記第１、第２、及び第３合算信号ＳＵＭ１、ＳＵＭ２、ＳＵＭ３のうち、二つのデコーディング信号がロー状態を有する場合、前記第１デコーディング信号ＯＵＴ１は１であり、前記第２デコーディング信号ＯＵＴ２は０である。
【００８９】
前記第１、第２、及び第３合算信号ＳＵＭ１、ＳＵＭ２、ＳＵＭ３のうち、一つのデコーディング信号のみがロー状態を有する場合、前記第１デコーディング信号ＯＵＴ１は０であり、前記第２デコーディング信号ＯＵＴ２は１である。
【００９０】
前記第１、第２、及び第３合算信号ＳＵＭ１、ＳＵＭ２、ＳＵＭ３が全てハイ状態を有する場合、前記第１及び第２デコーディング信号ＯＵＴ１、ＯＵＴ２は全て０である。
【００９１】
前記モード選択部２１０は、前記デコーディング部２６０及び前記逆算部２５０に電気的に接続される。
【００９２】
前記モード選択部２１０は、モード選択信号（ＳＥＴ＿ＤＩＭ）の印加を受けて半透過モード及び透過モードを設定する。例えば、前記表示パネルが半透過型表示パネルである場合、前記モード選択信号（ＳＥＴ＿ＤＩＭ）は０であり、前記モード選択部２１０は前記半透過モードである。前記表示パネルが透過型表示パネルである場合、前記モード選択信号（ＳＥＴ＿ＤＩＭ）は１であり、前記モード選択部２１０は前記透過モードである。
【００９３】
前記モード選択部２１０が前記半透過モードである場合、前記デコーディング部２６０から出力された前記第１及び第２デコーディング信号ＯＵＴ１、ＯＵＴ２は前記逆算部２５０の第１出力端子２５２及び第２出力端子２５４に直接入力される。
【００９４】
前記モード選択部２１０が前記透過モードである場合、前記デコーディング部２６０から出力された前記第１及び第２デコーディング信号ＯＵＴ１、ＯＵＴ２は前記逆算部２５０に入力される。
【００９５】
前記逆算部２５０は、第１インバータ２２０及び第２インバータ２３０を含む。前記モード選択部２１０が前記透過モードである場合、前記逆算部２５０は前記第１及び第２デコーディング信号ＯＵＴ１、ＯＵＴ２の印加を受け、それぞれ第１逆算信号ＩＮＯ１及び第２逆算信号ＩＮＯ２をそれぞれ前記第１及び第２出力端子２５２、２５４に出力する。本実施例で、前記第１インバータ２２０は、前記第１デコーディング信号ＯＵＴ１を逆算して前記第１逆算信号ＩＮＯ１を出力し、前記第２インバータ２３０は、前記第２デコーディング信号ＯＵＴ２を逆算して前記第２逆算信号ＩＮＯ２を出力する。
【００９６】
前記第１及び第２逆算信号ＩＮＯ１、ＩＮＯ２は、前記第１及び第２デコーディング信号ＯＵＴ１、ＯＵＴ２と反対する状態を有する。例えば、前記第１及び第２デコーディング信号ＯＵＴ１、ＯＵＴ２がそれぞれ１及０である場合、前記第１及び第２逆算信号ＩＮＯ１、ＩＮＯ２はそれぞれ０及び１である。
【００９７】
前記駆動集積回路１８０は、前記逆算部２５０の前記第１及び第２出力端子２５２、２５４印加された前記第１及び第２デコーディング信号ＯＵＴ１、ＯＵＴ２または前記第１及び第２逆算信号ＩＮＯ１、ＩＮＯ２の印加を受け、駆動電流ＩＤを出力する。
【００９８】
表３は、前記透過モードにおける前記モード選択信号（ＳＥＴ＿ＤＩＭ）、前記第１、第２、及び第３合算信号ＳＵＭ１、ＳＵＭ２、ＳＵＭ３、前記第１及び第２デコーディング信号ＯＵＴ１、ＯＵＴ２、前記第１及び第２逆算信号ＩＮＯ１、ＩＮＯ２、前記駆動電流ＩＤのレベル及び光源の輝度を示す。
【００９９】
【表３】
0005502283.tif 000004
【０１００】
表３を参照すると、表示パネルの外部の輝度が低いので、前記第１、第２、及び第３合算信号ＳＵＭ１、ＳＵＭ２、ＳＵＭ３が全てロー状態である場合、前記第１及び第２デコーディング信号ＯＵＴ１、ＯＵＴ２は全て１であり、前記第１及び第２逆算信号ＩＮＯ１、ＩＮＯ２は全て０であり、前記駆動電流ＩＤは第１レベルである０．４ｍＡであり、光源の輝度は７ｎｉｔである。
【０１０１】
前記表示パネルの外部の輝度が相対的に低いので、前記第１、第２、及び第３合算信号ＳＵＭ１、ＳＵＭ２、ＳＵＭ３のうち、一つがハイ状態である場合、前記第１及び第２デコーディング信号ＯＵＴ１、ＯＵＴ２はそれぞれ１及び０であり、前記第１及び第２逆算信号ＩＮＯ１、ＩＮＯ２はそれぞれ０及び１であり、前記駆動電流ＩＤは第２レベルである１．２５ｍＡであり、前記光源の輝度は２５ｎｉｔである。
【０１０２】
前記表示パネルの外部の輝度が相対的に高いので、前記第１、第２、及び第３合算信号ＳＵＭ１、ＳＵＭ２、ＳＵＭ３のうち、二つがハイ状態である場合、前記第１及び第２デコーディング信号ＯＵＴ１、ＯＵＴ２はそれぞれ０及び１であり、前記第１及び第２逆算信号ＩＮＯ１、ＩＮＯ２はそれぞれ１及び０であり、前記駆動電流ＩＤは第３レベルである４．１５ｍＡであり、前記光源の輝度は７５ｎｉｔである。
【０１０３】
前記表示パネルの外部の輝度が高いので、前記第１、第２、及び第３合算信号ＳＵＭ１、ＳＵＭ２、ＳＵＭ３が全てハイ状態である場合、前記第１及び第２デコーディング信号ＯＵＴ１、ＯＵＴ２は全て０であり、前記第１及び第２逆算信号ＩＮＯ１、ＩＮＯ２は全て１であり、前記駆動電流ＩＤは第４レベルである１８．６５ｍＡであり、前記光源の輝度は２５０ｎｉｔである。
【０１０４】
よって、前記透過モードの駆動電流ＩＤは、前記表示パネルの外部の輝度の低い場合に低いレベルを有するので、前記光源の輝度が低くなり、前記表示パネルは前記光源から発生した光を用いて画像を表示する。また、前記表示パネルの外部の輝度が高い場合に前記透過モードの駆動電流ＩＤは高いので、前記光源の輝度が高くなり、前記表示パネルは前記光源で発生した光を用いて画像を表示する。
【０１０５】
表４は、前記半透過モードにおける前記モード選択信号（ＳＥＴ＿ＤＩＭ）、前記第１、第２、及び第３合算信号ＳＵＭ１、ＳＵＭ２、ＳＵＭ３、前記第１及び第２デコーディング信号ＯＵＴ１、ＯＵＴ２、前記駆動電流ＩＤのレベル及び光源の輝度を示す。前記半透過モードにおいて、前記第１及び第２デコーディング信号ＯＵＴ１、ＯＵＴ２はそれぞれ前記逆算部２５０の前記第１及び第２出力端子２５２、２５４に直接印加される。
【０１０６】
【表４】
0005502283.tif 000005
【０１０７】
表４を参照すると、前記表示パネルの外部の輝度による前記第１、第２、及び第３合算信号ＳＵＭ１、ＳＵＭ２、ＳＵＭ３、前記第１及び第２デコーディング信号ＯＵＴ１、ＯＵＴ２、前記駆動電流ＩＤのレベル及び前記光源の輝度は表２と同様であるので、重複される説明は省略する。
【０１０８】
前記のような本実施例によると、前記モード選択部２１０のスイッチング素子の数及び前記逆算部２５０の前記インバータ２２０、２３０の数が減少して前記輝度調節装２００の不良及び製造費用が減少する。
【０１０９】
図７は、前記図５に示した輝度調節装置を用いた輝度調節方法を示すフローチャートである。
図６及び図７を参照すると、光源の輝度を調節するために、まず表示装置の外部輝度を感知して原始感知電流Ｉ０を生成する（段階Ｓ２０２）。
【０１１０】
その後、所定の感知区間単位で前記原始感知電流Ｉ０を積分して前記感知区間に対応する光感知電圧ＶＰを順次生成する（段階Ｓ２０４）。
【０１１１】
その後、前記感知区間単位で前記各光感知電圧ＶＰを基準電圧ＶＲと比較して光感知信号ＳＳを生成する(段階Ｓ２０６)。
続いて、前記光感知信号ＳＳを合算して複数の合算信号ＳＵＭ１、ＳＵＭ２、ＳＵＭ３を生成する（段階Ｓ２０８）。
【０１１２】
その後、前記合算信号ＳＵＭ１、ＳＵＭ２、ＳＵＭ３をデコーディングして第１及び第２デコーディング信号ＯＵＴ１、ＯＵＴ２を生成する（段階Ｓ２１０）。
前記輝度調節装置が用いられる表示パネルの種類に応じて、透過モードまたは半透過モードを選択する（段階Ｓ２１２）。
【０１１３】
前記表示パネルが前記透過モードである場合、前記第１及び第２デコーディング信号ＯＵＴ１、ＯＵＴ２を逆算して第１及び第２逆算信号ＩＮＯ１、ＩＮＯ２を生成する(段階Ｓ２１４)。
【０１１４】
その後、前記第１及び第２逆算信号ＩＮＯ１、ＩＮＯ２または前記第１及び第２デコーディング信号ＯＵＴ１、ＯＵＴ２に対応するレベルを有する駆動電流を生成する(段階２１６)。前記表示パネルが前記透過モードである場合、前記駆動電流は前記第１及び第２逆算信号ＩＮＯ１、ＩＮＯ２に対応し、前記表示パネルが前記半透過モードである場合、前記駆動電流は前記第１及び第２デコーディング信号ＯＵＴ１、ＯＵＴ２に対応する。
【０１１５】
その後、前記駆動電流を光源に印加する。
前記のような本実施例によると、輝度調節方法がより単になる。
図８は、本発明の第３実施例による表示装置を示す分解斜視図である。
【０１１６】
図２及び図８を参照すると、前記表示装置は、表示パネル３００、統合回路基板４００、及びバックライトアセンブリ５００を含む。
前記表示パネル３００は、アレイ基板３２０、対向基板３３０、液晶層(図示せず)、及びパネル駆動回路３５０を含む。
【０１１７】
前記アレイ基板３２０は、マトリクス形状に配列された複数の薄膜トランジスタ、前記薄膜トランジスタにそれぞれ電気的に接続された複数の画素電極及び前記薄膜トランジスタに画像信号を伝達するデータ及びゲートラインを含む。外部輝度を感知して原始感知電流Ｉ０を生成する感知部１０が前記アレイ基板３２０上に配置される。本実施例で、前記感知部１０は、前記アレイ基板３２０のコーナーに配置された４つのフォトトランジスタ（図示せず）を含む。ここで、前記感知部１０が前記アレイ基板３２０の中央に配置されたフォトトランジスタ（図示せず）を更に含むこともできる。
【０１１８】
前記対向基板３３０は、前記アレイ基板３２０を向い合い、複数のカラーフィルタ(図示せず)及び共通電極（図示せず）を含む。前記カラーフィルタは、それぞれ前記画素電極に対応する。前記共通電極は前記画素電極に向い合う。
【０１１９】
前記液晶層は、前記アレイ基板３２０と前記対向基板３３０との間に配置され、印加される電界によって光透過度が変化して画像を表示する。
本実施例で、前記表示パネル３００は、液晶表示パネルを含む。ここで、前記表示パネル３００が電気泳動表示パネルを含むこともできる。
【０１２０】
前記パネル駆動回路３５０は、前記アレイ基板３２０の周辺領域に配置される。前記パネル駆動回路３５０は、前記統合回路基板４００からパネル駆動信号の印加を受け、前記データ及びゲートラインにデータ及びゲート電圧を印加する。
【０１２１】
前記統合回路基板４００は、前記アレイ基板３２０の端部に電気的に接続される。本実施例で、前記統合回路基板４００は、可撓性ベース基板４１０、統合回路部４２０、及び輝度調節装置１００を含む。
前記可撓性ベース基板４１０は、前記バックライトアセンブリ５００の背面に折り曲げられる。
【０１２２】
前記統合回路部４２０は、外部画像信号の印加を受けて前記パネル駆動信号を生成する。
本実施例で、前記輝度調節装置１００は、図１ないし図７に示した輝度調節装置と同一であるので、重複される説明は省略する。
前記バックライトアセンブリ５００は、前記表示パネル３００の下部に配置され、前記表示パネル３００に光を供給する。
【０１２３】
前記バックライトアセンブリ５００は、導光板５１０、反射シート５２０、光学シート５３０、モールドフレーム５４０、収納容器５５０、伝送部材５６０、及び光源ユニット５７０を含む。
【０１２４】
前記導光板５１０は、前記光源ユニット５７０に隣接するように配置される。前記導光板５１０は、前記光源ユニット５７０で発生した光を面光源に変更して前記表示パネル３００の方にガイドする。
【０１２５】
前記反射シート５２０は、前記導光板５１０の下部に配置され、前記導光板５１０から漏洩された光を導光板５１０の方に反射する。
【０１２６】
前記光学シート５３０は、前記導光板５１０の上部に配置され、前記導光板５１０の出射面を出射した光の光学特性を向上させる。例えば、前記光学シート５３０は、前記光の均一性を向上させる拡散シート及び前記光の正面輝度を向上させるプリズムシートを含む。
【０１２７】
前記モールドフレーム５４０は、前記反射シート５２０の下部に配置され、前記導光板５１０、前記反射シート５２０、前記光学シート５３０、及び前記光源ユニット５７０を支持する。
【０１２８】
前記収納容器５５０は、前記モールドフレーム５４０の下部に配置され、前記導光板５１０、前記反射シート５２０、前記光学シート５３０、前記光源ユニット５７０、及び前記モールドフレーム５４０を収納する。
【０１２９】
前記光源ユニット５７０は、光源印刷回路基板５７４及び発光素子５７２を含む。
前記発光素子５７２は、前記光源印刷回路基板５７４上に配置され、前記輝度調節ユニット１００で発生した駆動電流ＩＤを用いて前記光を発生させる。
【０１３０】
前記駆動電流ＩＤは、前記伝送部材５６０、及び前記光源印刷回路基板５７４を通じて前記発光素子５７２に印加される。本実施例で、前記発光素子５７２は、前記導光板５１０の側面に配置された発光ダイオードを含む。
【０１３１】
本実施例で、前記バックライトアセンブリ５００は、側面導光型バックライトアセンブリである。ここで、前記バックライトアセンブリ５００が正面導光型バックライトアセンブリであってもよい。
【０１３２】
本実施例で、前記輝度調節ユニット１００は、前記可撓性ベース基板４１０上に配置される。他の実施例で、前記輝度調節ユニット１００が前記発光印刷回路基板５７４上に配置することもできる。
前記のような本実施例によると、前記統合回路基板４００が、前記輝度調節ユニット１００を含み、前記表示装置の消費電力が減少する。
【０１３３】
図９及び本発明の第４実施例による表示装置を示す分解斜視図である。本実施例で、輝度調節ユニットを除いた残りの構成要素は図８と同一であるので、重複される説明は省略する。
【０１３４】
図９を参照すると、前記輝度調節ユニット１０２はアレイ基板３２０上に直接形成される。本実施例で、前記輝度調節ユニット１０２はパネル駆動回路３５２と同一の層から形成される。例えば、前記輝度調節ユニット１０２及び前記パネル駆動回路３５２は、前記アレイ基板３２０のサイドに隣接するように配置される。
【０１３５】
前記輝度調節ユニット１０２は、統合回路基板４０２及び伝送部材５６０を通じて光源ユニット５７０の発光素子５７２に多様なレベルを有する駆動電流を印加する。
【０１３６】
前記のような本実施例によると、前記輝度調節ユニット１０２を前記アレイ基板３２０に直接形成するので、製造工程が単になり、製造コストを節減することができる。
【図面の簡単な説明】
【０１３７】
【図１】本発明の第１実施例による輝度調節装置を示すブロック図である。
【図２】図１に示した輝度調節装置を示す回路図である。
【図３】図１に示した輝度調節装置の光感知信号、第１分配信号、第２分配信号、及び第３分配信号のタイミング図を示す。
【図４】前記図１に示した輝度調節装置を用いる輝度調節方法を示すフローチャートである。
【図５】本発明の第２実施例による輝度調節装置を示すブロック図である。
【図６】前記図５に示した輝度調節装置を示す回路図である。
【図７】前記図５に示した輝度調節装置を用いる輝度調節方法を示すフローチャートである。
【図８】本発明の第３実施例による表示装置を示す分解斜視図である。
【図９】本発明の第４実施例による表示装置を示す分解斜視図である。
【符号の説明】
【０１３８】
１０    感知部
２０    平滑部
２２    積分器
２４    感知区間設定部
３０    比較部
３２    比較器
３４    基準電圧発生回路
４０    分配回路
５０、６０、７０    合算回路
５１、６１、７１    フリップフロップ
５７、６７、７７    合算器
８０    合算部
１００、２００    輝度調節装置
１１０、２１０    モード選択部
１２０、１３０、１４０    インバータ
１５０、２５０    逆算部
１６０    デコーディング部
１６２、１６４    出力端子
１８０    駆動集積回路
３００    表示パネル
３２０    アレイ基板
３３０    対向基板
３５０    パネル駆動回路
４００    統合回路基板
４１０    可撓性ベース基板
４２０    統合回路部
５１０    導光板
５２０    反射シート
５３０    光学シート
５４０    モールドフレーム
５５０    収納容器
５６０    伝送部材
５７０    光源ユニット
５７２    発光素子
５７４    発光印刷回路基板
【図１】
0005502283.tif 000006
【図２】
0005502283.tif 000007
【図３】
0005502283.tif 000008
【図４】
0005502283.tif 000009
【図５】
0005502283.tif 000010
【図６】
0005502283.tif 000011
【図７】
0005502283.tif 000012
【図８】
0005502283.tif 000013
【図９】
0005502283.tif 000014